(57)【要約】      （修正有）【課題】水の衝撃により水道や排水管工事を行う水圧式パイプクリーナーを提供する。【解決手段】本体１０と、本体との間に通気孔が形成される上カバー１１と、中央に連結ロッド１５が設けられるピストン部材１７と、ピストン部材との間にスプリング１６が設けられると共に、連結ロッドの一端を枢設する衝撃部材１４と、上カバーの中央に貫通されると共に、下端が衝撃部材と連結される作動パイプ１２と、作動パイプの上端に設けられる作動ハンドル１３と、本体の下端に設けられるテーパー筒２１を有する。【選択図】図１
0003119333.tif 000002
【実用新案登録請求の範囲】
【請求項１】
本体と、
前記本体の上端に設けられると共に、前記本体との間に通気孔が形成される上カバーと、
前記本体の内部に設けられ、中央に連結ロッドが設けられるピストン部材と、
前記本体の内部に設けられ、ピストン部材との間にスプリングが設けられると共に、前記連結ロッドの一端を枢設する衝撃部材と、
前記上カバーの中央に貫通されると共に、下端が前記衝撃部材と連結される作動パイプと、
前記作動パイプの上端に設けられる作動ハンドルと、
前記本体の下端に設けられるテーパー筒を有し、前記テーパー筒の上側に複数の貫通孔を有する分離プレートが設けられ、前記分離プレートの中央に中心孔が形成され、前記中心孔の周縁に中心孔と連通する孔が形成され、テーパー筒の下側に延出パイプが設けられ、前記延出パイプと分離プレートとの間にスプリングが設けられ、前記延出パイプ内に一端が封閉状であると共に、他端が開口状である連結パイプが設けられ、前記連結パイプの側壁に複数の貫通孔が形成され、前記連結パイプの封閉端にスプリング内へ挿入する係合ロッドが設けられるベースと、
前記連結パイプを取付けるために、中央に孔が形成されるブロックと、を備えることを特徴とする水圧式パイプクリーナー。
【請求項２】
前記ピストン部材の外側に複数のリング状溝が形成され、前記リング状溝に本体の内壁と接触する密接リングが設けられることを特徴とする請求項２に記載の水圧式パイプクリーナー。
【請求項３】
前記分離プレートにおける中心孔の下側に互いに対応する二枚の位置決め部が設けられ、前記位置決め部との間に位置決め溝が形成され、位置決め部の周囲にリング状プレートが設けられ、前記リング状プレートと位置決め部との間に収容溝が形成され、前記スプリングの一端が連結パイプの封閉端と当接し、前記係合ロッドの上端に位置決めブロックが設けられることを特徴とする請求項２に記載の水圧式パイプクリーナー。
【考案の詳細な説明】
【技術分野】
【０００１】
本考案は、特に水の衝撃により水道や排水管工事を行う水圧式パイプクリーナーに関するものである。
【背景技術】
【０００２】
従来のパイプクリーナーは、ロッド状のハンドルの一端に吸引用カップが設けられ、使用する際では、前記吸引用カップを水管の端部に設置し、前記吸引用カップの押圧によって発生する気圧により、水管における異物（トイレペーパー、汚れ又はヌメリなど）を移動させる。しかし、この気圧により異物を取り除く方式は、水管を塞いでいる異物を振動しながら除去することができないので、優れた除去効果を達成できない。
【考案の開示】
【考案が解決しようとする課題】
【０００３】
又、米国特許第3,770,204号「CLEANING AND REMOVAL DEVICE」では、上端に注水パイプが設けられる吸盤を有し、前記注水パイプの一端が入水パイプと接続され、前記注水パイプと入水パイプとの間に水の流動を制御可能なスイッチが設けられ、水を水管に注入することにより、水管を塞いでいる異物を除去する。しかしながら、このようなパイプクリーナーを使用する場合、水道水の蛇口と連結しなければならなく、且つ連続的に注入される水が吸盤の周縁から漏れ、水圧を降下することにより、水の衝撃を減少するという問題があった。 
そこで、案出されたのが本考案であって、水の衝撃により水道や排水管工事を行う水圧式パイプクリーナーを提供することを目的としている。
【課題を解決するための手段】
【０００４】
本願の請求項１の考案は、本体と、
前記本体の上端に設けられると共に、前記本体との間に通気孔が形成される上カバーと、
前記本体の内部に設けられ、中央に連結ロッドが設けられるピストン部材と、
前記本体の内部に設けられ、ピストン部材との間にスプリングが設けられると共に、前記連結ロッドの一端を枢設する衝撃部材と、
前記上カバーの中央に貫通されると共に、下端が前記衝撃部材と連結される作動パイプと、
前記作動パイプの上端に設けられる作動ハンドルと、
前記本体の下端に設けられるテーパー筒を有し、前記テーパー筒の上側に複数の貫通孔を有する分離プレートが設けられ、前記分離プレートの中央に中心孔が形成され、前記中心孔の周縁に中心孔と連通する孔が形成され、テーパー筒の下側に延出パイプが設けられ、前記延出パイプと分離プレートとの間にスプリングが設けられ、前記延出パイプ内に一端が封閉状であると共に、他端が開口状である連結パイプが設けられ、前記連結パイプの側壁に複数の貫通孔が形成され、前記連結パイプの封閉端にスプリング内へ挿入する係合ロッドが設けられるベースと、
前記連結パイプを取付けるために、中央に孔が形成されるブロックと、を備えることを特徴とする水圧式パイプクリーナー、を提供する。 
本願の請求項２の考案は、前記ピストン部材の外側に複数のリング状溝が形成され、前記リング状溝に本体の内壁と接触する密接リングが設けられることを特徴とする請求項２に記載の水圧式パイプクリーナー、を提供する。 
本願の請求項３の考案は、前記分離プレートにおける中心孔の下側に互いに対応する二枚の位置決め部が設けられ、前記位置決め部との間に位置決め溝が形成され、位置決め部の周囲にリング状プレートが設けられ、前記リング状プレートと位置決め部との間に収容溝が形成され、前記スプリングの一端が連結パイプの封閉端と当接し、前記係合ロッドの上端に位置決めブロックが設けられることを特徴とする請求項２に記載の水圧式パイプクリーナー、を提供する。
【考案の効果】
【０００５】
本考案は上記の課題を解決するものであり、本体の内部に水を加圧する衝撃部材とピストン部材が設けられ、一端に前記衝撃部材とピストン部材を連動するための作動パイプと作動ハンドルが設けられ、衝撃部材とピストン部材が本体の内部における水を加圧すると共に、噴出した後、噴出した水の衝撃力により、水管中に塞ぐ異物を移動させることができる。
【考案を実施するための最良の形態】
【０００６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。 
図１は本考案に係る水圧式パイプクリーナーの断面図であり、図２は本考案に係る水圧式パイプクリーナーのベースを示す部分断面斜視図であり、図３は本考案に係る水圧式パイプクリーナーにおける連結パイプをベース内に収容する状態を示す断面図であり、図４は本考案に係る水圧式パイプクリーナーの内部に水を注入する状態を示す断面図であり、図５は本考案に係る水圧式パイプクリーナーを水管の端末に設置する状態を示す断面図であり、図６は本考案に係る水圧式パイプクリーナーの使用状態を示す断面図であり、図７は本考案に係る水圧式パイプクリーナーの他の実施例を示す断面図である。 
図１及び図２に示すように、本考案に係る水圧式パイプクリーナー（１）は、
本体（１０）と、
前記本体（１０）の上端に設けられると共に、前記本体（１０）との間に通気孔（１１１）が形成される上カバー（１１）と、
前記本体（１０）の内部に設けられ、中央に連結ロッド（１５）が設けられるピストン部材（１７）と、
前記本体（１０）の内部に設けられ、ピストン部材（１７）との間にスプリング（１６）が設けられると共に、前記連結ロッド（１５）の一端を枢設する衝撃部材（１４）と、
前記上カバー（１１）の中央に貫通されると共に、下端が前記衝撃部材（１４）と連結される作動パイプ（１２）と、
前記作動パイプ（１２）の上端に設けられる作動ハンドル（１３）と、
前記本体（１０）の下端に設けられるテーパー筒（２１）を有し、前記テーパー筒（２１）の上側に複数の貫通孔（２４）を有する分離プレート（２３）が設けられ、前記分離プレート（２３）の中央に中心孔（２５）が形成され、前記中心孔（２５）の周縁に中心孔（２５）と連通する孔（２５１）が形成され、テーパー筒（２１）の下側に延出パイプ（２９）が設けられ、前記延出パイプ（２９）と分離プレート（２３）との間にスプリング（３０）が設けられ、前記延出パイプ（２９）内に一端が封閉状であると共に、他端が開口状である連結パイプ（４０）が設けられ、前記連結パイプ（４０）の側壁に複数の貫通孔（４１）が形成され、前記連結パイプ（４０）の封閉端にスプリング（３０）内へ挿入する係合ロッド（４４）が設けられるベース（２０）と、
前記連結パイプ（４０）を取付けるために、中央に二段壁（５２）を有する孔（５１）が形成されるブロック（５０）と、を備える。 
前記上カバー（１１）と本体（１０）との間に通気孔（１１１）が形成されるので、衝撃部材（１４）とピストン部材（１７）が本体（１０）の内部において取り除く際、本体（１０）の内部における空気が通気孔（１１１）を介して排出又は吸入される。 
前記衝撃部材（１４）の中央に突出する取付部（１４１）が設けられ、前記取付部（１４１）の外側に外ねじ山が形成され、作動パイプ（１２）の内部に取付部（１４１）の外ねじ山と対応し合う内ねじ山が形成され、前記取付部（１４１）の中央に連結ロッド（１５）を貫通するための孔が形成され、前記連結ロッド（１５）の上端に取付部（１４１）の上端と係止する係止部が設けられる。 
前記ピストン部材（１７）の外側に複数のリング状溝（１８）が形成され、前記リング状溝（１８）に本体（１０）の内壁と接触する密接リング（１９）が設けられる。 
前記ベース（２０）のテーパー筒（２１）の上側における分離プレート（２３）の周縁に上方へ向かって係合部（２２）が設けられることにより、ベース（２０）と本体（１０）との結合を行う。 
又、前記分離プレート（２３）における中心孔（２５）の下側に互いに対応する二枚の位置決め部（２６）が設けられ、前記位置決め部（２６）との間に位置決め溝（２６１）が形成され、位置決め部（２６）の周囲にリング状プレート（２７）が設けられ、前記リング状プレート（２７）と位置決め部（２６）との間に収容溝（２８）が形成され、前記スプリング（３０）の一端が連結パイプ（４０）の封閉端と当接し、前記係合ロッド（４４）の上端に位置決めブロック（４５）が設けられる。 
又、図２乃至図４に示すように、前記係合ロッド（４４）は上下へ移動可能に位置決め部（２６）との間に設けられると共に、位置決めブロック（４５）が位置決め溝（２６１）に位置され、連結パイプ（４０）は上方へ取り除くことによりスプリング（３０）を圧縮する場合、係合ロッド（４４）も上方へ取り除くことにより、係合ロッド（４４）の上端が分離プレート（２３）の中心孔（２５）から上方へ突出し、この際、位置決めブロック（４５）が孔（２５１）から突出し、連結パイプ（４０）を回転させると、位置決めブロック（４５）が中心孔（２５）の周縁に係止すると共に、連結パイプ（４０）における貫通孔（４１）がテーパー筒（２１）の内部に位置される。排水管工事を行う際、水を連結パイプ（４０）の開口端からテーパー筒（２１）内に注入させ、前記水が連結パイプ（４０）の貫通孔（４１）と分離プレート（２３）の貫通孔（２４）を介して本体（１０）の内部に進入する。 
図４乃至図６に示すように、本考案に係る水圧式パイプクリーナー（１）を使用する場合、先ず本体（１０）の内部に水を注入した後、連結パイプ（４０）を再び回転することにより、位置決めブロック（４５）が再び孔（２５１）を介して位置決め溝（２６１）に進入すると共に、連結パイプ（４０）が延出パイプ（２９）から下方へ突出する。又、連結パイプ（４０）が延出パイプ（２９）から突出した後、前記突出端にブロック（５０）を取付ける。 
前記ベース（２０）の内部における連結パイプ（４０）の一端に延出パイプ（２９）の内壁と接触可能な密接リング（４３）が設けられ、連結パイプ（４０）がベース（２０）の延出パイプ（２９）から突出する際、連結パイプ（４０）の貫通孔（４１）が延出パイプ（２９）の内部に位置すると共に、密接リング（４３）が延出パイプ（２９）の内壁と接触することにより、本体（１０）の内部における水を連結パイプ（４０）から送り出すことができない。 
又、前記作動ハンドル（１３）を押圧すると、作動パイプ（１２）が本体（１０）を下方へ移動させると共に、連結パイプ（４０）がベース（２０）の内部へ進入し、本体（１０）の内部における衝撃部材（１４）、ピストン部材（１７）が作動パイプ（１２）の連動により本体（１０）の内部における水を加圧させ、加圧した水が分離プレート（２３）の貫通孔（２４）と、ベース（２０）の内部における連結パイプ（４０）の貫通孔（４１）を介して噴出され、この噴出した水の衝撃力により、水管中に塞ぐ異物を移動させることができる。 
又、図７に示すように、本考案に係る水圧式パイプクリーナーは、前記実施例と殆ど等しく、異なるのは、水管と当接するブロック（６０）は円盤状の円盤部（６１）を有し、前記ブロック（６０）の中央に二段壁（６３）を有する孔（６２）が形成されることにより、前記実施例と等しい効果を達成できる。
【産業上の利用可能性】
【０００７】
本考案は上記の構成を有するので、本体の内部に水を加圧する衝撃部材とピストン部材が設けられ、一端に前記衝撃部材とピストン部材を連動するための作動パイプと作動ハンドルが設けられ、衝撃部材とピストン部材が本体の内部における水を加圧すると共に、噴出した後、噴出した水の衝撃力により、水管中に塞ぐ異物を移動させることができる。
【図面の簡単な説明】
【０００８】
【図１】本考案に係る水圧式パイプクリーナーの断面図である。
【図２】本考案に係る水圧式パイプクリーナーのベースを示す部分断面斜視図である。
【図３】本考案に係る水圧式パイプクリーナーにおける連結パイプをベース内に収容する状態を示す断面図である。
【図４】本考案に係る水圧式パイプクリーナーの内部に水を注入する状態を示す断面図である。
【図５】本考案に係る水圧式パイプクリーナーを水管の端末に設置する状態を示す断面図である。
【図６】本考案に係る水圧式パイプクリーナーの使用状態を示す断面図である。
【図７】本考案に係る水圧式パイプクリーナーの他の実施例を示す断面図である。
【符号の説明】
【０００９】
１          水圧式パイプクリーナー
１０        本体
１１        上カバー
１１１      通気孔
１２        作動パイプ
１３        作動ハンドル
１４        衝撃部材
１４１      取付部
１５        連結ロッド
１６        スプリング
１７        ピストン部材
１８        リング状溝
１９        密接リング
２０        ベース
２１        テーパー筒
２２        係合部
２３        分離プレート
２４        貫通孔
２５        中心孔
２５１      孔
２６        位置決め部
２６１      位置決め溝
２７        リング状プレート
２８        収容溝
２９        延出パイプ
３０        スプリング
４０        連結パイプ
４１        貫通孔
４２        リング状溝
４３        密接リング
４４        係合ロッド
４５        位置決めブロック
５０        ブロック
５１        孔
５２        二段壁
６０        ブロック
６１        円盤部
６２        孔
６３        二段壁
【図１】
0003119333.tif 000003
【図２】
0003119333.tif 000004
【図３】
0003119333.tif 000005
【図４】
0003119333.tif 000006
【図５】
0003119333.tif 000007
【図６】
0003119333.tif 000008
【図７】
0003119333.tif 000009